(57)【特許請求の範囲】
【請求項１】
１枚以上の用紙を搬送する用紙搬送部と、
前記用紙搬送部で搬送される用紙の搬送方向に沿って前記用紙の天部と地部とをそれぞれカットするカット部と、
前記カット部によって前記用紙からカットされた天部裁断屑と地部裁断屑とを搬送する裁断屑搬送部と、
前記裁断屑搬送部を制御する制御部と、を有し、
前記制御部は、前記裁断屑搬送部による搬送速度を前記用紙搬送部による搬送速度よりも速く設定し、かつ前記天部裁断屑を搬送する側及び前記地部裁断屑を搬送する側の搬送速度が所定の値となるように、前記天部裁断屑を搬送する搬送速度及び前記地部裁断屑を搬送する側の搬送速度を独立した調整値で調整することを特徴とする後処理装置。
【請求項２】
前記制御部は、前記裁断屑搬送部のニップ圧を前記用紙搬送部のニップ圧より大きく設定することにより、前記裁断屑搬送部の搬送速度が前記用紙搬送部の搬送速度よりも速く設定することを特徴とする請求項１に記載の後処理装置。
【請求項３】
１枚以上の用紙を搬送する用紙搬送部と、
前記用紙搬送部で搬送される用紙の搬送方向に沿って前記用紙の天部と地部とをそれぞれカットするカット部と、
前記カット部によって前記用紙からカットされた天部裁断屑と地部裁断屑とを搬送する裁断屑搬送部と、
前記裁断屑搬送部を制御する制御部と、を有し、
前記制御部は、前記天部裁断屑を搬送する側と前記地部裁断屑を搬送する側とで、前記裁断屑搬送部をそれぞれ独立して制御可能であり、前記裁断屑搬送部の摩擦係数を前記用紙搬送部の摩擦係数より低くすることで、前記裁断屑搬送部の搬送速度が前記用紙搬送部の搬送速度よりも速く設定されていることを特徴とする後処理装置。
【請求項４】
前記制御部は、前記天部裁断屑と前記地部裁断屑とにおける搬送速度に対する調整値をそれぞれ記憶する記憶部を備えることを特徴とする請求項１または２に記載の後処理装置。
【請求項５】
前記制御部は、前記裁断屑搬送部による前記天部裁断屑と前記地部裁断屑の搬送速度をそれぞれ独立して調整可能であり、前記天部裁断屑と前記地部裁断屑とにおける搬送速度の調整に関するデータをそれぞれ記憶する記憶部を有することを特徴とする請求項３に記載の後処理装置。
【請求項６】
前記制御部は、前記裁断屑搬送部による搬送速度を前記用紙の紙種、紙厚に応じて設定することを特徴とする請求項１〜５のいずれか１項に記載の後処理装置。
【請求項７】
前記制御部は、前記裁断屑搬送部による搬送速度を、前記天部裁断屑と前記地部裁断屑のそれぞれの屑裁断幅に応じて設定することを特徴とする請求項１〜６のいずれか１項に記載の後処理装置。
【請求項８】
前記裁断屑搬送部のニップ圧と前記用紙搬送部のニップ圧の少なくとも一方が可変であることを特徴とする請求項１〜７のいずれか１項に記載の後処理装置。
【請求項９】
前記制御部は、前記裁断屑搬送部において前記天部裁断屑のニップ圧と前記地部裁断屑のニップ圧とを独立して調整可能であることを特徴とする請求項１〜８のいずれか１項に記載の後処理装置。
【請求項１０】
前記裁断屑搬送部が、前記天部裁断屑の搬送と前記地部裁断屑の搬送とで、異なる駆動源を有することを特徴とする請求項１〜９のいずれか１項に記載の後処理装置。
【請求項１１】
前記天部裁断屑の搬送速度調整指令値と前記地部裁断屑の搬送速度調整指令値の一方または両方を設定可能な入力部を有することを特徴とする請求項１〜１０のいずれか１項に記載の後処理装置。
【発明の詳細な説明】
【技術分野】
【０００１】
この発明は、用紙の天地をカットするカット部を備える後処理装置に関する。
【背景技術】
【０００２】
画像形成された用紙に後処理装置で後処理を行う際に、用紙の大きさを整えるために用紙の天地をカットする場合がある。用紙を裁断するシュレッダーの分野では、搬送以外の断裁機構を高速に回転することで、より確実に断裁することを可能にしている（例えば特許文献１参照）。
しかし、後処理装置では、カットした後の用紙を印刷物として使用するため、用紙を搬送する用紙搬送部と、カットされた裁断屑を搬送する裁断屑搬送部とをそれぞれ設け、各搬送部の速度を同じにして搬送している。また、天部と地部で生じる裁断屑は、共通する駆動モータなどを介して動力を天部と地部とにそれぞれ伝達して同じ搬送速度にして搬送するように構成している。
【先行技術文献】
【特許文献】
【０００３】
【特許文献１】国際公開番号ＷＯ２００６／００１３７０号公報
【発明の概要】
【発明が解決しようとする課題】
【０００４】
しかし、カット部によって用紙をカットした際に、本身である用紙の搬送速度と裁断屑の搬送速度とが、互いに適正な関係にないと、毛羽の発生などの不具合が生じてしまう場合がある。具体的には、用紙の搬送速度よりも裁断屑の搬送速度が遅くなりすぎると、裁断屑にたわみが生じ、切れ曲がりなどが発生する場合がある。また、用紙の搬送速度が裁断屑の搬送速度よりも速くなりすぎると、引っ張りにより毛羽が発生する場合がある。
さらに、用紙の天地をカットする場合、天部の裁断屑と地部の裁断屑とをそれぞれ搬送する必要があるが、裁断屑の搬送駆動が左右同一駆動だと、曲がりと毛羽対応のため速度調整をしようとしても、天地の駆動部品や組立バラツキなどはそれぞれ異なるため、両立できる調整が難しいという問題がある。
【０００５】
本発明は、上記事情を背景としてなされたものであり、用紙の天部と地部とをカットする際に、裁断屑を適正な速度で搬送して毛羽の発生や用紙の曲がりを防止することができる後処理装置を提供することを目的の一つとする。
【課題を解決するための手段】
【０００６】
すなわち、本発明の後処理装置のうち、第１の本発明は、
１枚以上の用紙を搬送する用紙搬送部と、
前記用紙搬送部で搬送される用紙の搬送方向に沿って前記用紙の天部と地部とをそれぞれカットするカット部と、
前記カット部によって前記用紙からカットされた天部裁断屑と地部裁断屑とを搬送する裁断屑搬送部と、
前記裁断屑搬送部を制御する制御部と、を有し、
前記制御部は、前記裁断屑搬送部による搬送速度を前記用紙搬送部による搬送速度よりも速く設定し、かつ前記天部裁断屑を搬送する側及び前記地部裁断屑を搬送する側の搬送速度が所定の値となるように、前記天部裁断屑を搬送する搬送速度及び前記地部裁断屑を搬送する側の搬送速度を独立した調整値で調整することを特徴とする。
【０００７】
第２の本発明の後処理装置は、前記形態の発明において、前記制御部は、前記裁断屑搬送部のニップ圧を前記用紙搬送部のニップ圧より大きく設定することにより、前記裁断屑搬送部の搬送速度が前記用紙搬送部の搬送速度よりも速く設定することを特徴とする。
【０００８】
第３の本発明の後処理装置は、１枚以上の用紙を搬送する用紙搬送部と、
前記用紙搬送部で搬送される用紙の搬送方向に沿って前記用紙の天部と地部とをそれぞれカットするカット部と、
前記カット部によって前記用紙からカットされた天部裁断屑と地部裁断屑とを搬送する裁断屑搬送部と、
前記裁断屑搬送部を制御する制御部と、を有し、
前記制御部は、前記天部裁断屑を搬送する側と前記地部裁断屑を搬送する側とで、前記裁断屑搬送部をそれぞれ独立して制御可能であり、前記裁断屑搬送部の摩擦係数を前記用紙搬送部の摩擦係数より低くすることで、前記裁断屑搬送部の搬送速度が前記用紙搬送部の搬送速度よりも速く設定されていることを特徴とする。
【０００９】
第４の本発明の後処理装置は、前記第１または第２の本発明において、前記制御部は、前記天部裁断屑と前記地部裁断屑とにおける搬送速度に対する調整値をそれぞれ記憶する記憶部を備えることを特徴とする。
【００１０】
第５の本発明の後処理装置は、前記第３の本発明において、前記制御部は、前記裁断屑搬送部による前記天部裁断屑と前記地部裁断屑の搬送速度をそれぞれ独立して調整可能であり、前記天部裁断屑と前記地部裁断屑とにおける搬送速度の調整に関するデータをそれぞれ記憶する記憶部を有することを特徴とする。
【００１１】
第６の本発明の後処理装置は、前記第１〜第５の本発明のいずれかにおいて、前記制御部は、前記裁断屑搬送部による搬送速度を前記用紙の紙種、紙厚に応じて設定することを特徴とする。
【００１２】
第７の本発明の後処理装置は、前記第１〜第６の本発明のいずれかにおいて、前記制御部は、前記裁断屑搬送部による搬送速度を、前記天部裁断屑と前記地部裁断屑のそれぞれの屑裁断幅に応じて設定することを特徴とする。
【００１４】
第８の本発明の後処理装置は、前記第１〜第７の本発明のいずれかにおいて、前記裁断屑搬送部のニップ圧と前記用紙搬送部のニップ圧の少なくとも一方が可変であることを特徴とする。
【００１５】
第９の本発明の後処理装置は、前記第１〜第８の本発明のいずれかにおいて、前記制御部は、前記裁断屑搬送部において前記天部裁断屑のニップ圧と前記地部裁断屑のニップ圧とを独立して調整可能であることを特徴とする。
【００１７】
第１０の本発明の後処理装置は、前記第１〜第９の本発明のいずれかにおいて、前記裁断屑搬送部が、前記天部裁断屑の搬送と前記地部裁断屑の搬送とで、異なる駆動源を有することを特徴とする。
【００１８】
第１１の本発明の後処理装置は、前記第１〜第１０の本発明のいずれかにおいて、前記天部裁断屑の搬送速度調整指令値と前記地部裁断屑の搬送速度調整指令値の一方または両方を設定可能な入力部を有することを特徴とする。
【発明の効果】
【００１９】
すなわち、本発明によれば、天部裁断屑を搬送する側と地部裁断屑を搬送する側とにおける裁断屑搬送部をそれぞれ独立して制御することができ、天部および地部の駆動部品のばらつきなどによる影響などを回避して天部と地部の裁断屑を適正に搬送して毛羽の発生や用紙の曲がりを防止する効果が得られる。
【図面の簡単な説明】
【００２０】
【図１】本願発明の一実施形態における画像形成システムの外観構成の一例を示す図である。
【図２】同じく他の実施形態における画像形成システムの外観構成の一例を示す図である。
【図３】同じく、画像形成システムの概略構成を示す図である。
【図４】同じく、画像形成システムのブロック図を示す図である。
【図５】同じく、スリット部の下流側から見た図を示すものである。
【図６】同じく、スリット部の側方から見た図を示すものである。
【図７】同じく、スリット部の幅方向端部を示す斜視図である。
【図８】同じく、スリット部で搬送される用紙の状態を示す図である。
【図９】同じく、スリット部で搬送される用紙の従来例における状態を示す図と、実施形態においてスリット部で搬送される用紙の状態を示す図である。
【図１０】同じく、裁断屑搬送部の制御関係を示す一部のブロック図を示す図である。
【図１１】同じく、裁断屑搬送速度の設定手順を示すフローチャートである。
【図１２】同じく、裁断屑搬送速度の設定方法の一例を示すフローチャートである。
【図１３】同じく、裁断屑搬送速度の設定方法の一例を示すフローチャートである。
【発明を実施するための形態】
【００２１】
次に、本発明の実施形態を添付図面に基づいて説明する。
以下では、画像形成装置１０と後処理装置３０とを含む画像形成システムについて説明する。
図１に示す画像形成システムは、画像形成を行う画像形成装置１０と、画像形成装置で画像が形成された用紙に冊子処理として中綴じ製本を行う後処理装置３０とが機械的および電気的に接続されている。また、図２は、変更例として画像形成装置１０と後処理装置３０との間に反転搬送装置２０を介在させ、また、画像形成装置１０の上流側に大容量給紙トレイ５０を配置して連結し画像形成システム１としたものである。後処理装置３０は、前方ブロック３０Ａと側方ブロック３０Ｂとを有している。
【００２２】
以下、図２に示す画像形成システム１について機械的構成の概要を図３を参照しつつ説明する。なお、図３では、大容量給紙トレイ５０は省略している。
画像形成システム１は、図３では示していない大容量給紙トレイ５０、画像形成装置１０と、反転搬送装置２０と、後処理装置３０とが連なって接続されている。
本発明としては画像形成システムの接続構成がこれに限定されるものではない。また、本発明の後処理装置は、画像形成装置に直接または間接に接続して使用される他、スタンドアローンで使用されるものであってもよい。
さらに、画像形成装置にカット部、裁断屑搬送部を含む後処理装置を内蔵した構成とすることもできる。
【００２３】
画像形成装置１０は、上部側に原稿読み込み部の一部を構成する自動原稿給送装置（ＡＤＦ）１５が設けられており、自動原稿給送装置（ＡＤＦ）１５で給送される原稿は図示しないスキャナー部で画像読取が可能になっている。なお、原稿は、図示しないプラテンガラス上で読み込むこともできる。
【００２４】
また、画像形成装置１０の画像形成装置本体１０Ａの上部側で、プラテンガラスが位置しない箇所に、ＬＣＤ１４が設置されている。ＬＣＤ１４はタッチパネルで構成されており、操作者による操作および情報の表示が可能になっている。ＬＣＤ１４は、操作部と表示部を兼用している。なお、操作部をマウスやタブレットなどで構成し、表示部とは別体で構成することも可能である。また、ＬＣＤ１４は移動可能となっているものであってもよい。
【００２５】
画像形成装置１０の下部側には、複数の給紙トレイ１２（図では２段）が配置されて給紙可能になっている。なお、用紙は、図３では図示していない大容量給紙装置５０から給紙することができる。
画像形成装置１０内には、いずれかの給紙トレイ１２から給紙される用紙を搬送する搬送経路１３が設けられており、画像形成装置１０内の搬送路途中に、画像形成部１０３が設けられている。画像形成部１０３は、感光体１１Ａと、感光体１１Ａの周囲に配置した図示しない、帯電器、ＬＤ、現像器、転写部を有しており、さらに感光体１１Ａの下流側の搬送経路１３には定着器１６が配置されている。
定着器１６の下流側で、搬送経路１３が伸長して反転搬送装置２０の搬送経路２１に接続されている。
【００２６】
画像形成部１０３では、帯電器により画像書込み前に感光体１１Ａの表面を一様に帯電し、ＬＤにより表面が一様に帯電された感光体１１Ａに半導体レーザを照射することにより、感光体１１Ａに静電潜像を形成する。現像器は、ＬＤによって感光体１１Ａに形成された静電潜像をトナー部材によって現像する。この現像処理によって感光体１１Ａにトナー画像が形成される。転写部は、給紙トレイ１２から搬送されてきた用紙に感光体１１Ａのトナー画像を転写する。トナー画像が転写された用紙は、感光体１１Ａから分離されて定着器１６に搬送される。感光体１１Ａに残留したトナー部材は、図示しないクリーニング部によって除去される。
【００２７】
定着器１６は、搬送された用紙を加熱することにより用紙の表面側に転写されたトナー画像を出力画像として定着する。定着処理が施された用紙は、搬送経路１３によってそのまま反転搬送装置２０に搬送されるか、表裏を反転した後、画像形成部１０３の上流側に環流して表裏反転された用紙の裏面に画像形成部１０３によって画像形成を行うことによって両面への印刷を行うことができる。
【００２８】
反転搬送装置２０には、前記したように搬送経路２１が設けられており、その中途に反転搬送経路２２が設けられて、搬送経路２１で搬送される用紙の反転搬送を行うことができる。用紙の反転搬送を行わない場合には、反転搬送経路２２をバイパスして搬送経路２１によって下流側に用紙を搬送することができる。搬送経路２１は、下流側で後処理装置３０の搬送経路３１に接続されている。
【００２９】
後処理装置３０では、中綴じステープルなどの所定の後処理と排紙とが行われる。
後処理装置３０の前方ブロック３０Ａでは、搬送経路３１の中途に整合機能を有する反転・重ね搬送路３２を有し、反転・重ね搬送路３２には、用紙へのすじ付けを行うクリーサー３３を有している。その下流側に、用紙のカットを行うカット部３４と、用紙に折り処理を行う折りユニット３５がこの順で配置されている。この実施形態では、カット部３４は、用紙の天部および地部をカットする。なお、設定により、天部と地部の一方をカットする処理内容とすることもできる。
【００３０】
また、後処理装置３０では、前方ブロック３０Ａの側方に側方ブロック３０Ｂが設けられており、側方ブロック３０Ｂには、図３では図示してない中綴じステープル部、角付けを行うスクエアホールド３６、小口カットの断裁ユニット３７を有している。また、側方ブロック３０Ｂでは、後処理後の冊子を配置する冊子積載部３２１が設けられている。
【００３１】
次に、画像形成システム１の制御ブロックの一部を図４に基づいて説明する。なお、以下の説明では、反転搬送装置２０、大容量給紙トレイ５０の説明は省略している。
画像形成装置１０では、画像形成装置制御部１００、シリアル通信部１０１、操作表示部１０２、画像形成部１０３、画像データ記憶部１０４、ＪＯＢ記憶部１０５、印刷時間記憶部１０６、印刷順序決定部１０７、原稿読み込み部１０８、第１搬送部１０９、第２搬送部１１０、表紙識別部１１１、音声ガイダンス部１１２と、を備えている。
【００３２】
画像形成装置１０を制御する画像形成装置制御部１００は、ＣＰＵ（Ｃｅｎｔｒａｌ  Ｐｒｏｃｅｓｓｉｎｇ  Ｕｎｉｔ）を有している。
ＲＯＭなどから読み出されてＲＡＭに展開されたプログラムや不揮発メモリから読み出された設定データなどに基づいて、ＣＰＵの動作により、画像形成装置制御部１００は、各種処理を実行する。また、画像形成装置制御部１００では、画像形成システム１における反転搬送装置２０や後処理装置３０の制御を行う。
また、不揮発メモリには、後処理装置３０を制御する際の設定データや後述するカット部での制御データを有することができる。
シリアル通信部１０１は、画像形成装置制御部１００により制御され、反転搬送装置２０を介して後処理装置３０のシリアル通信部３０１とシリアル通信を行う。
【００３３】
操作表示部１０２は、操作部１０２Ａと、ＬＣＤ（Ｌｉｑｕｉｄ  Ｃｒｙｓｔａｌ  Ｄｉｓｐｌａｙ）等の表示部１０２Ｂと、複数ＪＯＢ選択設定部１０２Ｃとを有する。なお、この実施形態では、操作部１０２Ａと表示部１０２Ｂとは、ＬＣＤ１４で構成されている。複数ＪＯＢ選択設定部１０２Ｃは、リスト化された複数のＪＯＢのうちから必要なＪＯＢを選択して実行することができ、操作部１０２Ａと表示部１０２ＢとによってＪＯＢのリストを表示して実行ＪＯＢを選択する操作入力を可能にする。
【００３４】
操作表示部１０２は、画像形成装置制御部１００により制御され、表示部１０２Ｂに各種操作釦や後処理に係る情報等を表示し、操作部１０２Ａを介するユーザーからのタッチ入力により、反転処理、中綴じ処理、両面プリント等の給紙から排紙までの各種処理機能の種類や用紙サイズ、等の操作情報を取得して画像形成装置制御部１００に出力する。
【００３５】
画像形成部１０３は、画像形成装置制御部１００により制御され、原稿読み込み部１０８により入力された原稿画像情報、又は画像形成装置１０にネットワーク接続されたＰＣ（Ｐｅｒｓｏｎａｌ  Ｃｏｍｐｕｔｅｒ）等の外部機器（図示略）から投入されたプリントジョブの画像情報に基づいて用紙に画像を形成する。
【００３６】
画像形成部１０３は、例えば、電子写真方式の画像形成部である。画像形成部１０３は、ドラム状の感光体１１Ａの周囲に、帯電部、露光部、現像部、転写部、分離部及びクリーニング部（いずれも図示略）が配置され、これらの電子写真プロセス装置により、帯電、露光、現像が行われて感光体上にトナー像が形成され、用紙に画像が転写されて画像形成される。画像形成に用いる画像データは、画像データ記憶部に格納される。印刷時間は、印刷時間記憶部１０６に記録される。
【００３７】
ＪＯＢデータは、ＪＯＢ記憶部１０５に記憶され、適宜読み出される。印刷順序決定部１０７は、ＪＯＢの印刷順序を決定するものであり、複数のＪＯＢの印刷順序を予約ＪＯＢとして決定し、ＪＯＢ記憶部１０５などに印刷順序を記録することができる。
【００３８】
原稿読み込み部１０８は、画像形成装置制御部１００により制御され、原稿の画像をＣＣＤ（Ｃｈａｒｇｅ  Ｃｏｕｐｌｅｄ  Ｄｅｖｉｃｅ）等で読み取り、原稿画像情報を画像形成装置制御部１００に出力する。画像形成装置制御部１００では、ジョブデータをＪＯＢ記憶部１０５に記憶し、印刷に際し画像データ記憶部１０４に画像データを一時的に格納して画像形成を行う。
【００３９】
第１搬送部１０９は、画像形成装置制御部１００により制御され、給紙トレイ１２から給紙された用紙を、画像形成部１０３を介して搬送して反転搬送装置２０に排出する搬送ローラ等の搬送経路である。
【００４０】
第２搬送部１１０は、画像形成装置制御部１００により制御され、両面プリント時に、画像形成部１０３で片面が画像形成された用紙を反転機構（図示略）を介して搬送して、再度、画像形成部１０３に搬送する搬送ローラ等の搬送経路である。
搬送経路１３は、第１搬送部１０９、第２搬送部１１０を含んでいる。
【００４１】
表紙識別部１１１は、給紙される用紙が表紙かを識別するものであり、画像形成部１０３が印刷した画像（たとえば、用紙に印刷された表紙識別子など）または印刷ジョブに含まれる画像データなどから、冊子などの表紙となる印刷ページを識別する。この表紙識別は、公知の方法で実行することができる。
【００４２】
音声ガイダンス部１１２は、所定の操作において音声ガイダンスを行うことで操作を容易にするものであり、操作表示部１０２に操作釦を設けたり、音声ガイダンス用の釦を操作表示部１０２外に設けたりすることにより起動させることができる。
【００４３】
次に、後処理装置３０について説明する。
後処理装置３０では、後処理装置３０全体を制御する後処理装置制御部３００、シリアル通信部３０１、シリアル通信部３３０、搬送部３０２、後段搬送部３０３、排出経路選択部３０４、整合機能（整合部）を有する重ね・反転部３０５、すじ付け部３０６、スリット部３０７、折り部３１０、中綴じステープル部３１１、角付け部３１２、冊子断裁部３１３、サブトレイ排出積載部３１５、冊子排出部３２０、冊子積載部３２１を備えている。
【００４４】
シリアル通信部３０１は前述したように、画像形成装置１０のシリアル通信部１０１とシリアル通信を行うものであり、シリアル通信部３３０は、後処理装置３０の後段に将来接続される装置との間でシリアル通信を行うものである。
【００４５】
搬送部３０２は、後処理装置３０に搬送された用紙を前方ブロック３０Ａから側方ブロック３０Ｂまたはサブトレイ排出積載部３１５に用紙を搬送する搬送ローラ等を含むものである。
後段搬送部３０３は、後処理装置３０の後段に他の装置が接続されている場合、後処理装置３０から他の装置に用紙を搬送するための搬送ローラ等の搬送経路部である。搬送経路３１は、搬送部３０２に含まれている。
排出経路選択部３０４は、後処理装置制御部３００により制御され、用紙を搬送部３０２、後段搬送部３０３、サブトレイ排出積載部３１５のいずれに排出するかを選択する。
【００４６】
重ね・反転部３０５は、反転・重ね搬送路３２を含んでおり、後処理装置制御部３００によって制御され、搬送路や搬送ローラなどによって構成される。重ね・反転部３０５では、用紙を反転して重ね合わせて用紙束とすることができる整合部を有している。
【００４７】
すじ付け部３０６は、用紙にすじ付けを行うクリーサー３３を備えており、後処理装置制御部３００による制御を受け、後処理内容に応じて用紙にすじ付け動作を行う。
【００４８】
スリット部３０７は、用紙の天地カットを行うカット部３４を備えており、後処理装置制御部３００による制御を受け、後処理内容に応じて用紙に天地カットを行う。
【００４９】
折り部３１０は、折りユニット３５に含まれており、後処理装置制御部３００による制御を受け、用紙に折り処理を施す。
中綴じステープル部３１１は、後処理装置制御部３００による制御を受け、幅方向の中央振り分け２箇所もしくは、４箇所に綴じ針を打って用紙束を綴るステープル処理を行うものであり、側方ブロック３０Ｂに含まれる。
【００５０】
角付け部３１２は、用紙背部の角付けを行うスクエアホールド３６を備えており、後処理装置制御部３００による制御を受け、折り目が形成された用紙束の背折り部を平坦にする角背処理を施す。角付け部３１２は、側方ブロック３０Ｂに含まれている。
冊子断裁部３１３は、断裁刃等を備える断裁ユニット３７を備えており、後処理装置制御部３００による制御を受け、折り部３１０、中綴じステープル部３１１により中折り処理、ステープル処理されて冊子化された用紙束に対して、用紙の小口を揃えるため小口を断裁する。冊子断裁部３１３は、側方ブロック３０Ｂに含まれている。
【００５１】
上記重ね・反転部３０５、すじ付け部３０６、スリット部３０７、折り部３１０、中綴じステープル部３１１、角付け部３１２、冊子断裁部３１３は、本願発明の後処理部を構成する。なお、本願発明としては後処理部の内容が特に限定されるものではなく、冊子処理などが行えるものであれば特に限定されない。
冊子排出部３２０は、中綴じがされた用紙を冊子積載部３２１に排出するものである。
【００５２】
次にスリット部３０７の詳細な構成を図５〜図７に基づいて説明する。図６は、用紙搬送方向の側方からスリット部３０７を見た図である。図５は、用紙搬送方向後方側からスリット部３０７を見た図であり、図奥側から図手前側に用紙が搬送される。図７は、カット部３４における用紙幅方向の一端部側から見た図である。
搬送経路３１には、搬送ローラ４０、４１を有しており、一方を駆動ローラ、他方を従動ローラとして回転し、用紙Ｐを所定の速度で搬送する。搬送経路３１、搬送ローラ４０、搬送ローラ４１は、用紙を搬送する本発明の用紙搬送部を構成する。搬送ローラ４０、４１による搬送速度（線速）は、画像形成装置制御部１００によって決定され、その指令が後処理装置制御部３００に伝達され、後処理装置制御部３００により搬送制御される。したがって、この例では、後処理装置制御部３００は、画像形成装置制御部１００と協働して本発明の制御部として機能する。また、搬送ローラ４０、４１の搬送は、後処理装置制御部３００で決定して制御するものであってもよい。この場合、後処理装置制御部３００が本発明の制御部として機能する。
【００５３】
搬送ローラ４０、４１の搬送方向下流側近くには、図５に示すように、用紙を上下から押さえる用紙上押さえローラ４１Ａおよび用紙下押さえローラ４０Ａと、用紙幅方向の両側に位置する下刃４２、４２および上刃４３、４３とが天部側と地部側とにそれぞれ配置されている。下刃４２、４２は駆動回転軸４２Ａで回転駆動され、上刃４３、４３は駆動回転軸４３Ａ、４３Ａで回転駆動される。
下刃４２、４２および上刃４３、４３は、幅方向位置を変更して用紙の幅方向左右における裁断幅（スリット幅）を変更することができる。なお、下刃４２、４２と上刃４３、４３とは、上刃４３、４３の下側の外周縁と、下刃４２、４２の上側の外周縁とが僅かに重なる高さ位置を有しており、上刃４３、４３が、それぞれ下刃４２、４２の外側に位置している。
【００５４】
用紙のカットに際しては、上刃４３、４３がスプリングコイルなどの押圧部材４５の押圧によって内側に押され、上刃４３、４３の周縁内面が下刃４２、４２の周縁外面にほぼ接触する。この状態で、下刃４２、４２、上刃４３、４３が用紙搬送方向に回転することにより、用紙搬送部から送られる用紙がカットされる。上刃４３、４３、駆動回転軸４３Ａ、４３Ａ、下刃４２、４２、駆動回転軸４２Ａ、４２Ａ、押圧部材４５によって本発明のカット部が構成されている。なお、本発明としては、カットの機構として上刃および下刃を有することが必要とされるものではない。
【００５５】
また、図９（Ａ）に示すように、裁断屑搬送ローラの４８、４９のニップ圧を搬送ローラ４０、４１より低くすることで、用紙搬送力とスリット屑搬送力に差が生まれ、上刃と下刃によって切断された裁断屑ＰＳ１、２が残部用紙Ｐから広がる方向に力を加わりにくくすることができ、スリット支点Ｆにケバが生じにくくなる。
裁断屑ＰＳ１と裁断屑ＰＳ２とは、一方が天部で他方が地部の裁断屑となる。いずれを天部、地部と称するかは適宜設定できる。
【００５６】
また同様に、図９（Ａ）に示すように、裁断屑搬送ローラの４８、４９の摩擦力を搬送ローラ４０、４１より低くすることで、用紙搬送力とスリット屑搬送力に差が生まれ、上刃と下刃によって切断された紙片ＰＳが残部用紙Ｐから広がる方向に力を加わりにくくすることができ、スリット切片Ｆにケバが生じにくくなる。
【００５７】
上刃４３、下刃４２の位置よりも用紙搬送方向下流側には、搬送経路３１を上下から挟むように、上ガイド４６Ａと下ガイド４６Ｂとが用紙の搬送方向に沿って下流側に向けて伸長している。上刃４３と下刃４２とによって裁断屑がカットされた残りの用紙Ｐは、搬送ロール４０、４１で搬送されつつ、上ガイド４６Ａ、下ガイド４６Ｂ間を通って搬送経路３１の下流側に移動する。
【００５８】
一方、上刃４３と下刃４２とによってカットされた裁断屑ＰＳ１、ＰＳ２は、上刃４３と下刃４２の位置から下流方向下側に伸張する上斜行ガイド４７Ａと下斜行ガイド４７Ｂとの間を通って裁断屑搬送ローラ４８、４９によって下方側に排出される。裁断屑搬送ローラ４８、４９は、裁断屑ＰＳ１、２を下方側に移動するように回転駆動される。裁断屑搬送ローラ４８、４９の下方側には図示しないスリット屑収容箱などを配置してスリット屑を収容することができる。
【００５９】
天部および地部の裁断屑搬送ローラ４８、４９の搬送速度（線速）は、画像形成装置制御部１００によって決定され、その指令が後処理装置制御部３００に伝達され、後処理装置制御部３００により搬送制御される。したがって、この例では、後処理装置制御部３００は、画像形成装置制御部１００と協働して本発明の制御部として機能する。また、裁断屑の搬送速度を後処理装置制御部３００で決定して制御するものであってもよい。この場合、後処理装置制御部３００が本発明の制御部として機能する。裁断屑搬送ローラ４８、４９は、本発明の裁断屑搬送部に相当する。
なお、上記搬送ローラ４０、４１の搬送速度（線速）と裁断屑搬送ローラ４８、４９の搬送速度（線速）は、一般的には同じ速度に設定されている。
【００６０】
上記用紙のカット状態について図８の平面図に基づいて説明する。
搬送ローラ４０、４１で搬送される用紙Ｐは、上記したように所定のスリット幅で上刃４３と下刃４２とによって用紙幅方向の天部側と地部側とが搬送方向に沿ってカットされる。この実施形態では、搬送方向に平行にして裁断屑ＰＳ１、２がカットされている。なお、図８以降では、幅方向の一方側でのみカットする状態を図示しているが、用紙幅方向の両側をカットすることができ、裁断屑ＰＳ１、ＰＳ２は、対照的に形成される。ただし、裁断屑ＰＳ１、ＰＳ２の屑裁断幅は異なるものであってもよい。裁断屑ＰＳ１、２は、確実に裁断屑収容箱の方向に搬送されるように、上斜行ガイド４７Ａと下斜行ガイド４７Ｂとで案内されつつ、裁断屑搬送ローラ４８、４９によって裁断屑収容箱などの方向に搬送される。なお、図６では、裁断屑ＰＳ１、２を下方に搬送しているが、本発明としては裁断屑ＰＳ１、２の搬送方向が限定されるものではない。
【００６１】
ところで、裁断屑ＰＳ１、２側の剛度が小さいと、用紙Ｐがカットされる際に、裁断屑ＰＳ１、２に対して、用紙Ｐから離れる方向に広がる力Ｅが加わり、カットされた裁断屑ＰＳ１、２が、用紙Ｐのカット後に残った部分と平行に搬送されず、斜めに搬送されやすくなる。搬送ローラ４０、４１から裁断屑搬送ローラ４８、４９までの間で斜めに搬送された裁断屑ＰＳ１、２は、裁断屑搬送ローラ４８、４９により斜め方向で狭持され、その結果、カットされたスリット支点Ｆにさらに力がかかり、スリット支点Ｆに毛羽が生じやすくなり、また、切り曲がりが生じやすくなる。これらは、用紙の搬送とともに連続しやすい。
【００６２】
本実施形態では、用紙搬送速度に対して裁断屑搬送速度を相対的に速くすることにより、両者の速度差から裁断屑ＰＳ１、２と裁断屑搬送ローラ４８、４９との間に用紙のタワミを生じさせ難くし、スリット支点にかかる力を弱め、毛羽や紙曲がりの発生を防止するものとしている。なお厚紙のように剛度が高い場合、毛羽は発生しにくいため、無理に搬送力を変える必要はない。
【００６３】
図９（Ａ）（Ｂ）は、用紙搬送速度と裁断屑搬送速度との差に応じた用紙の搬送状態を示す図である。なお、これらの図では、天部の裁断屑と地部の裁断屑において一方の裁断屑ＰＳ１、２を示しており、この実施形態では、用紙の天部および用紙の地部で用紙のカットが行われている。
図９（Ａ）は、搬送ローラ４０、４１の搬送速度（線速）を１０００ｍｍ／秒に設定し、裁断屑搬送ローラ４８、４９の搬送速度（線速）を１０００ｍｍ／秒に設定しており、両者の速度が同じに設定された従来例を示している。
この形態では、用紙の剛度が弱いと、上刃と下刃によって切断された裁断屑ＰＳ１、２が撓んで残部の用紙Ｐから広がる方向に力が加わり、スリット支点Ｆにケバや紙曲がりが生じやすくなる。
【００６４】
図９（Ｂ）は、搬送ローラ４０、４１の搬送速度（線速）を１０００ｍｍ／秒に設定し、裁断屑搬送ローラ４８、４９の搬送速度（線速）を１０２０ｍｍ／秒に設定しており、裁断屑搬送ローラ４８、４９による搬送速度を搬送ローラ４０、４１による搬送速度よりも大きく設定（増速）した実施形態を示している。これにより、スリット支点Ｆ近傍に用紙のタワミが発生しにくくなり、ケバの発生や切れ曲がりを防止している。
【００６５】
また、裁断屑搬送ローラ４８、４９のニップ圧を搬送ローラ４０、４１より相対的に低くすることで、用紙搬送力とスリット屑搬送力に差が生まれ、図９（Ｂ）に示すように、上刃と下刃によって切断された紙片ＰＳが残部用紙Ｐから広がる方向に力を加わりにくくすることができ、スリット支点Ｆにケバが生じにくくなる。
【００６６】
また同様に、裁断屑搬送ローラ４８、４９の摩擦力を搬送ローラ４０、４１より相対的に低くすることで、用紙搬送力とスリット屑搬送力に差が生まれ、図９（Ｂ）に示すように、上刃と下刃によって切断された裁断屑ＰＳが残部用紙Ｐから広がる方向に力を加わりにくくすることができ、スリット支点Ｆにケバや切れ曲がりが生じにくくなる。
摩擦力は、裁断屑搬送ローラ４８、４９と搬送ローラ４０、４１とで、少なくとも表面部の材質を変えるなどして摩擦力を変えることができる。
【００６７】
用紙および裁断屑の搬送は、それぞれ基本搬送速度（線速）が設定され、これに対し、表１に示す横目／縦目の別、用紙サイズ、屑裁断幅、用紙坪量、湿度、温度、ニップ圧などが考慮されて断裁屑搬送速度が用紙の搬送速度よりも大きくなるように設定することができる。
表１は、これらの項目を考慮する際の設定条件を定めたものであり、それぞれの項目に対し、係数値を予め設定しておき、各項目に応じて断裁屑の搬送速度を決定することができる。
例えば、断裁屑搬送速度として、表１に基づいて各項目値を取り出し、＜横目／縦目＞×＜用紙サイズ＞×＜屑裁断幅＞×＜坪量＞×＜湿度＞×＜温度＞×＜ニップ圧＞×基本線速で算出することができる。なお、表１では、裁断屑搬送に際しての摩擦係数を考慮してもよい。
【００６８】
【表１】
0006677440.tif 000002
【００６９】
なお、天部の裁断屑搬送と、地部の裁断屑搬送は、独立して制御することが必要であり、この実施形態では、天部の裁断屑搬送と、地部の裁断屑搬送にそれぞれ異なる駆動源を有している。以下に、裁断屑搬送部を天部側と地部側とで独立して制御する制御ブロックを図１０を参照して説明する。
【００７０】
先ず、後処理装置３０の裁断屑搬送部を制御する制御部１５０が用意される。制御部１５０は、画像形成装置制御部１００や後処理装置制御部３００が協働して構成することができる。
また、天部の搬送速度を調整する速度調整指令値と地部の搬送速度を調整する速度調整指令値を入力することができる入力部１５１を有しており、入力部１５１は、制御部１５０に制御可能に接続されている。入力部１５１は、操作表示部１０２などを用いることができる。なお速度調整指令値は、後述する記憶部などに予め機械情報などとして記憶しておき、必要に応じて読み出すようにしてもよい。
【００７１】
制御部１５０には、記憶部１５３が制御可能に接続されている。記憶部１５３は不揮発の記憶が可能なものであり、不揮発メモリやＨＤＤなどを用いることができる。制御部１５３では、裁断屑搬送に際しての動作パラメータや、天部と地部とで裁断屑の搬送速度を調整する調整値などが読み出し可能に格納されており、また、搬送速度調整値が入力された際の調整を書き込みするようにしてもよい。
また、用紙の紙種やサイズ、紙厚、屑裁断幅に応じて断裁屑搬送を決定する係数値やテーブルなどを読み出し可能に格納しておくことができる。
【００７２】
制御部１５０には、天部裁断駆動回路３４１を介して天部裁断搬送モータ３４０が制御可能に接続され、地部裁断駆動回路３５１を介して地部裁断搬送モータ３５０が制御可能に接続されている。これにより、制御部１５０では、天部側の裁断屑搬送と、地部側の裁断屑搬送とを独立して制御することが可能になる。
【００７３】
制御部１５０では、紙種や用紙サイズ、紙厚、屑断裁幅などの情報１５２に応じて裁断屑搬送の速度を決定して、天部裁断回路３４１および地部裁断駆動回路３５１において必要な制御信号を生成し、天部断裁搬送モータ３４０と地部断裁搬送モータ３５０とを独立して制御する。紙種等の条件は、画像形成に際し取得された情報を利用することができ、また、入力部１５１を通して入力された情報１５２を用いることもできる。
【００７４】
次に、速度調整指令値の例を表２、表３に示す。天部側、地部側で調整指令値を決定することで、駆動系統のばらつきなどを考慮して、天部と地部の搬送速度が期待する値となるように速度調整を行う。速度調整指令値は、前記したように入力部１５１を通して使用者や管理者などが入力することができ、記憶部１５３に記憶されている指令値を読み出して使用することができる。
【００７５】
【表２】
0006677440.tif 000003
【００７６】
【表３】
0006677440.tif 000004
【００７７】
また、制御部１５０には、ニップ圧駆動回路３６１を介してニップ圧駆動モータ３６０が制御可能に接続されており、制御部１５０には、ニップ圧駆動ＨＰセンサ３６２（ホームポジションセンサ）が接続されてニップ圧駆動ＨＰセンサ３６２による検知結果が制御部１５０で受信される。
【００７８】
制御部では、上記情報１５２などに基づいて定められる裁断屑の搬送速度に応じて裁断屑搬送におけるニップ圧を決定する。決定されたニップ圧は、制御部１５０の指令によってニップ圧駆動回路３６１において必要な制御信号が生成され、ニップ圧駆動モータ３６０が制御されて所定のニップ圧に制御される。裁断屑搬送速度を用紙本身の搬送速度よりも速くするため、制御部１５０では、裁断屑におけるニップ圧を用紙本身のニップ圧よりも大きくする。ニップ圧の制御に際しては、ニップ圧駆動ＨＰセンサ３６２による検知結果を利用することができる。
【００７９】
なお、上記実施形態説明では、天部の裁断区搬送と地部の裁断屑搬送とは、異なる駆動源を有するものとして説明したが、それぞれの駆動系統などの制御によって個別に搬送速度の調整が可能であれば、駆動源をそれぞれ有することが必須となるものではない。
【００８０】
また、天部の断裁屑搬送と地部の断裁屑搬送とは、同じ搬送速度となるように制御しても良いが、断裁幅が異なるなどの事情などによって、互いに異なる搬送速度となるようにそれぞれの搬送を制御することも可能である。
【００８１】
以下に、裁断屑搬送速度を設定する手順を図１１以降のフローチャートに基づいて説明する。
裁断屑搬送速度を用紙の搬送速度よりも大きくする場合、図１１に示すように、用紙搬送速度を取得し（ステップｓ１）、取得した用紙搬送速度に応じて裁断屑搬送ローラの速度を設定する（ステップｓ２）。なお、以下の手順は、画像形成装置制御部の制御によって実行される。また、後処理装置で制御する場合は、後処理装置制御部の制御によって実行されるようにしてもよい。
【００８２】
裁断屑搬送速度の設定（ステップｓ２）に際しては、用紙搬送速度に対し、一律に増速するようにしても良い。
図１２は、用紙搬送速度に対し、裁断屑搬送速度を一律に２％増速する（ステップｓ１０）。この際に、天部の搬送と地部の搬送を独立して制御することで、両者の駆動系統のばらつきに起因して期待値と異なる搬送速度とならないようにする。具体的には、表２、表３に例を示すように、天部と地部とで必要に応じて速度調整値を設定する。速度調整値は、入力部を通して入力された入力値に基づいて変更してもよく、予め設定された値に基づいて調整値が決定されるようにしてもよい。
【００８３】
この他に、裁断屑搬送速度の設定（ステップｓ２）は、図１３に示すように用紙の剛度などを考慮して増加速度を決定することができる。
図１３の手順は、紙片搬送速度の設定に際し、カットされる用紙の紙種、厚み、紙目、裁断幅より、裁断屑の広がり量を計算したり、あるいは表１などのテーブルなどより取得したりして、増速率を決定する（ステップｓ２０）。
【００８４】
以上、本発明について上記実施形態に基づいて説明を行ったが、本発明の範囲を逸脱しない限りは適宜の変更が可能である。
【符号の説明】
【００８５】
１    画像形成システム
１０    画像形成装置
２０    反転搬送装置
３０    後処理装置
３２    反転・重ね搬送路
３３    クリーサー
３４    カット部
３５    折りユニット
３６    スクエアホールド
３７    断裁ユニット
４０    搬送ローラ
４１    搬送ローラ
４２    下刃
４３    上刃
４５    押圧部材
４６Ａ  上ガイド
４６Ｂ  下ガイド
４７Ａ  上斜行ガイド
４７Ｂ  下斜行ガイド
４８    裁断屑搬送ローラ
４９    裁断屑搬送ローラ
１００    画像形成装置制御部
１０３    画像形成部
３００    後処理装置制御部
３０５    重ね・反転部
３０６    すじ付け部
３０７    スリット部
３１０    折り部
３１１    中綴じステープル部
３１２    角付け部
３１３    冊子断裁部
３２０    冊子排出部
３２１    冊子積載部
ＰＳ１、２  裁断屑
【図１】
0006677440.tif 000005
【図２】
0006677440.tif 000006
【図３】
0006677440.tif 000007
【図４】
0006677440.tif 000008
【図５】
0006677440.tif 000009
【図６】
0006677440.tif 000010
【図７】
0006677440.tif 000011
【図８】
0006677440.tif 000012
【図９】
0006677440.tif 000013
【図１０】
0006677440.tif 000014
【図１１】
0006677440.tif 000015
【図１２】
0006677440.tif 000016
【図１３】
0006677440.tif 000017